(57)【要約】  外観を損なうことなく視野が妨げられず、加工が容易なリムレスタイプの眼鏡が提供される。眼鏡（１００）は、レンズ（１４０）と、ヨロイ（１２０）とを含み、レンズ（１４０）には切り欠き部（１１０）が形成されており、切り欠き部（１１０）の開口部（１５０）はレンズ（１４０）の凸面（前面）に形成されており、ヨロイ（１２０）の端部（１２１）は、切り欠き部（１１０）に挿入されており、開口部（１５０）には、端部（１２１）の一部の突起部（１３０）が嵌めあわされており、切り欠き部（１１０）には接着剤が充填されており、端部（１２１）の最大径は、突起部（１３０）の厚みよりも大きい。
2017038636.tif 000002
【特許請求の範囲】
【請求項１】
レンズと、
前記レンズの耳側に装着されるヨロイと、
前記ヨロイに装着されるテンプルとを備え、
前記レンズの耳側の周縁部の側面には、前記ヨロイの挿入を受ける耳側開口部が前記レンズの中心側に向かって形成されており、前記ヨロイの一部は突起部を含み、
前記レンズの凹面または凸面の少なくともいずれかと前記耳側開口部との間には、前記突起部の挿入を受ける溝部が形成されており、前記溝部は前記側面につながっており、
前記耳側開口部の幅は、前記溝部の幅より大きく、
前記ヨロイの一部は、前記耳側開口部に挿入されており、
前記ヨロイの前記突起部は、前記溝部に挿入されており、
前記開口部または前記溝部には、接着剤が充填されている、眼鏡。
【請求項２】
前記レンズの他方を保持するためのブリッジをさらに備え、前記ブリッジの両端の一部は、凸部を含み、
前記レンズの鼻側の周縁部の側面には、前記ブリッジの一部の挿入を受ける鼻側開口部が、当該側面から前記レンズの中心側に向かって形成されており、
前記鼻側開口部の幅は、当該鼻側開口部に形成された溝部の幅より大きい、請求項１に記載の眼鏡。
【請求項３】
前記眼鏡の二つのレンズのうちの少なくとも一つは、前記ヨロイと前記ブリッジとによって保持される、請求項１または２に記載の眼鏡。
【請求項４】
前記耳側開口部の断面は、円弧を含む、請求項１〜３のいずれかに記載の眼鏡。
【請求項５】
前記耳側開口部の断面の形状は、多角形である、請求項１〜３のいずれかに記載の眼鏡。
【請求項６】
前記鼻側開口部の断面は、円弧を含む、請求項１〜５のいずれかに記載の眼鏡。
【請求項７】
前記鼻側開口部は、前記レンズの凹面および凸面のいずれかのみに形成されている、請求項１〜６のいずれかに記載の眼鏡。
【請求項８】
前記レンズの鼻側の周縁部の側面には、前記レンズを支えるブリッジの挿入を受ける鼻側開口部が前記レンズの中心側に向かって形成されており、前記ブリッジの一部は突起部を含み、
前記レンズの凹面または凸面の少なくともいずれかと前記鼻側開口部との間には、前記ブリッジの前記突起部の挿入を受ける溝部が形成されており、前記溝部は前記鼻側の周縁部の側面につながっており、
前記鼻側開口部の幅は、前記ブリッジの前記突起部が挿入される前記溝部の幅より大きく、
前記ブリッジの一部は、前記鼻側開口部に挿入されており、
前記ブリッジの前記突起部は、前記溝部に挿入されており、
前記開口部または前記溝部には、接着剤が充填されている、請求項１〜７のいずれかに記載の眼鏡。
【請求項９】
前記突起部の長さは、前記溝部よりも短い、請求項１〜８のいずれかに記載の眼鏡。
【発明の詳細な説明】
【技術分野】
【０００１】
本開示は眼鏡に関し、より特定的には、眼鏡のレンズを保持する構造に関する。
【背景技術】
【０００２】
従来、レンズをリム以外の部品で保持する眼鏡が知られている。たとえば、実開平７−３２６２０号公報（特許文献１）は、「レンズをリム以外の眼鏡部品で支持する眼鏡においてレンズ割れの生じ難く、しかもデザイン・素材の自由度の高い眼鏡」を開示している（要約参照）。
【先行技術文献】
【特許文献】
【０００３】
【特許文献１】実開平７−３２６２０号公報
【発明の概要】
【発明が解決しようとする課題】
【０００４】
しかしながら、特許文献１に開示された技術によると、取付部材を「末広がり状の切欠部」にはめ込み可能な形状としなければならないので、必然的にその根元部は、末広がりの先端部よりも細くなる。根元部は、取付部材に結合されるテンプル等を支えるために十分な強度を有しなければならないので、根元部は、所定以上の太さを必要とする。そうすると、上記末広がり状の部分は、上記太さよりさらに大きいものにしなければならず、レンズを大きく切り欠くことになる。結果として、視野を狭めたり、美観を損ねる原因になる可能性がある。また、末広がり状の切欠部を設けるための加工も容易ではない。さらに、当該技術が用いられた眼鏡の取付部材は、溝部に平行な方向の力にはきわめて弱く、抜けやすいという欠点もある。加えて、実開平７−３２６２０号公報の図４から図８に示される例では、レンズの凹面側から取付部材が突出しているため、レンズが拭きにくくなる。したがって、視野を狭くしない技術が必要とされている。美観が維持される技術が必要とされている。加工が容易な技術が必要とされている。取付部材を抜けにくくする技術が必要とされている。あるいは、レンズを拭きやすくする技術が必要とされている。【０００５】
本開示は、上述のような問題点を解決するためになされたものであって、ある局面における目的は、装着時に視野が狭くならない眼鏡を提供することである。他の局面における目的は、美観が維持される眼鏡を提供することである。他の局面における目的は、加工が容易な眼鏡を提供することである。他の局面における目的は、取付部材を抜けにくくする眼鏡を提供することである。さらに他の局面における目的は、レンズが拭きやすくなる眼鏡を提供することである。
【課題を解決するための手段】
【０００６】
一実施の形態に従う眼鏡は、レンズと、レンズの耳側に装着されるヨロイと、ヨロイに装着されるテンプルとを備える。レンズの耳側の周縁部の側面には、ヨロイの挿入を受ける耳側開口部がレンズの中心側に向かって形成されている。ヨロイの一部は、突起部を含む。レンズの凹面または凸面の少なくともいずれかと耳側開口部との間には、突起部の挿入を受ける溝部が形成されている。溝部は側面につながっている。耳側開口部の幅は、溝部の幅より大きい。ヨロイの一部は、耳側開口部に挿入されている。ヨロイの突起部は、溝部に挿入されている。開口部または溝部には、接着剤が充填されている。【０００７】
好ましくは、眼鏡は、レンズの他方を保持するためのブリッジをさらに備える。ブリッジの両端の一部は、突起部を含む。レンズの鼻側の周縁部の側面には、ブリッジの一部の挿入を受ける鼻側開口部が、当該側面からレンズの中心側に向かって形成されている。鼻側開口部の幅は、当該鼻側開口部に形成された溝部の幅より大きい。【０００８】
好ましくは、眼鏡の二つのレンズのうちの少なくとも一つは、ヨロイとブリッジとによって保持される。【０００９】
好ましくは、耳側開口部の断面は、円弧を含む。
好ましくは、耳側開口部の断面の形状は、多角形である。【００１０】
好ましくは、鼻側開口部の断面は、円弧を含む。
好ましくは、鼻側開口部は、レンズの凹面および凸面のいずれかのみに形成されている。【００１１】
好ましくは、レンズの鼻側の周縁部の側面には、レンズを支えるブリッジの挿入を受ける鼻側開口部がレンズの中心側に向かって形成されており、ブリッジの一部は突起部を含む。レンズの凹面または凸面の少なくともいずれかと鼻側開口部との間には、ブリッジの突起部の挿入を受ける溝部が形成されている。溝部は鼻側の周縁部の側面につながっている。鼻側開口部の幅は、ブリッジの突起部が挿入される溝部の幅より大きい。ブリッジの一部は、鼻側開口部に挿入されている。ブリッジの突起部は、溝部に挿入されている。開口部または溝部には、接着剤が充填されている。【００１２】
好ましくは、突起部の長さは、溝部よりも短い。
一実施の形態に従う眼鏡によると、ある局面において、装着時に視野が狭くならなくなる。別の局面において、美観が維持される。別の局面において、レンズの加工が容易になる。別の局面において、眼鏡の取付部材が抜けにくくなる。さらに別の局面において、レンズが拭きやすくなる。【００１３】
この発明の上記および他の目的、特徴、局面および利点は、添付の図面と関連して理解されるこの発明に関する次の詳細な説明から明らかとなるであろう。
【図面の簡単な説明】
【００１４】
【図１】眼鏡１００の一部の外観を表す図である。
【図２】眼鏡１００の一部を表わす図である。
【図３】眼鏡１００のブリッジ３００の近傍を表す図である。
【図４】ある局面に従う切り欠き部を表す図である。
【図５】別の局面に従う切り欠き部を表す図である。
【図６】別の局面に従う切り欠き部を表す図である。
【図７】切り欠き部１１０をレンズ１４０の一面から見た状態を表す図である。
【図８】別の局面に従う切り欠き部８１０にヨロイの端部８２０が挿入された状態の断面を表す図である。
【図９】別の局面に従う切り欠き部９１０にヨロイの端部９２０が挿入された状態の断面を表す図である。
【図１０】別の局面に従う切り欠き部１０１０にヨロイの端部１０２０が挿入された状態の断面を表す図である。
【図１１】レンズ１１００の切り欠き部にヨロイ１１１０の端部１１２０が挿入された状態の断面を表す図である。
【発明を実施するための形態】
【００１５】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１６】
図１を参照して、本実施の形態にかかる眼鏡１００の構成について説明する。図１は、眼鏡１００の一部の外観を表す図である。
【００１７】
眼鏡１００は、右目用のレンズ１４０と、ヨロイ１２０と、ヒンジ部１２３と、テンプル１２４とを備える。眼鏡１００は、たとえば、縁なしの（リムレスタイプの）眼鏡である。なお、眼鏡１００の二つのレンズのうち少なくとも一つのレンズが縁なしであればよい。眼鏡１００のレンズ１４０の端部には、切り欠き部１１０が形成されている。
【００１８】
切り欠き部１１０は、たとえば、レンズ１４０の縁から中央側に向かってほぼ一定の幅を有する。切り欠き部１１０は、レンズ１４０の凸面（前側）に開口部１５０が存在するように構成されている。ある局面において、切り欠き部１１０には、接着剤（図示しない）が充填され、さらに、ヨロイ１２０の端部１２１が挿入されている。接着剤の色は、たとえば、無色透明であるが、その他の色であってもよい。視界を確保するために、透明であることが望ましい。接着剤としては、たとえばエポキシ樹脂が使用されるが、接着剤の種類はこれに限られない。
【００１９】
ヨロイ１２０は、眼鏡１００のユーザの顔側に折曲がる態様で構成されている。ヨロイ１２０の両端部のうち眼鏡１４０を支持する端部１２１には、突起部１３０が形成されている。突起部１３０は、開口部１５０に嵌めあわされている。突起部１３０は、たとえば、ヨロイ１２０の素材の切削加工により構成される。別の局面で、突起部１３０が端部１２１に組み付けられる構成が用いられてもよい。他の端部には、ヒンジ部１２３が取り付けられている。
【００２０】
ヒンジ部１２３は、ヨロイ１２０に対してテンプル１２４を自在に折りたためるように構成されている。別の局面において、レンズ１４０の支持部材として、ヨロイ１２０とテンプル１２４とが一体である構成が用いられてもよい。
【００２１】
本実施の形態において、端部１２１の挿入部分の前後方向の厚みは、レンズ１４０の厚みよりも薄い。換言すると、端部１２１の挿入部分における最長部分の長さは、レンズ１４０の厚み方向の開口部１５０の長さよりも短い。したがって、突起部１３０の先端は、レンズ１４０の凸面を超えない。これにより、突出した部分が、レンズ１４０の表面に表れなくなる。
【００２２】
当該先端により開口部１５０に生じるスキマは、たとえば無色透明の接着剤によって充填される。ある局面において、接着剤の表面は、レンズ１４０の凸面に形成された開口部による段差をなくすように、当該凸面の一部を構成するように滑らかである。端部１２１と突起部１３０は、接着剤によってレンズ１４０に固定されるので、端部１２１は切り欠き部１１０から簡単に抜けなくなる。また、リムレスタイプの眼鏡１００において、ヨロイ１２０とレンズ１４０との取り付け部分の剛性が向上する。
【００２３】
また、本実施の形態に係る眼鏡１００によれば、突起部１３０の長さ（高さ）は、開口部１５０における溝部の長さより短いので、突起部１３０の先端は、レンズ１４０の表面に表れない。したがって、眼鏡１００の美観が突起部１３０によって損なわれることが防止され得る。
【００２４】
なお、突起部１３０の長さが溝部の長さよりも短いことに関し、溝部の長さは、突起部１３０の長さと、突起部１３０の先端からレンズ１４０の表面までの長さ（すなわち、ヨロイ１２０の端部１２１が挿入された後に開口部１５０に形成されるスキマの高さ）の和であるとき、突起部１３０の長さは、溝部の長さの、例えば、４/５が好ましい。さらに好ましくは、当該長さは、溝部の長さの３/５、またさらに好ましくは１/２、より好ましくは、１/３である。
【００２５】
少なくとも、スキマに充填される接着剤が眼鏡１００の使用中に剥離しない程度に、接着剤を注入できる程度のスキマが維持されるように、突起部１３０の長さとスキマの高さの関係は規定され得る。
【００２６】
レンズ１４０の面から突出する部分がないので、レンズ１４０を磨いたり拭いたりする場合において引っ掛かりが生じにくくなり、レンズ１４０を容易に磨いたり拭いたりすることができる。結果として、眼鏡１００のメンテナンスが容易になる。
【００２７】
ヨロイ１２０の端部１２１がレンズ１４０の開口部１５０に挿入された後に樹脂が注入（ポッティング）されることにより、ヨロイ１２０がレンズ１４０から抜けにくくなる。したがって、眼鏡１００の耐久性が向上し得る。
【００２８】
なお、左目用のレンズの周囲の構成は、図１に示される右目用のレンズ１４０の周りの構成と同様である。したがって、同様の説明は繰り返さない。
【００２９】
図２を参照して、眼鏡１００の構成についてさらに説明する。図２は、眼鏡１００の一部を表わす図である。ある局面において、眼鏡１００は、左目用のレンズ１４１と、ブリッジ３００とを備える。ブリッジ３００には、鼻当て３６０が形成されている。
【００３０】
レンズ１４１には、切り欠き部３３１が形成されている。切り欠き部３３１は、たとえば、レンズ１４１の縁から中央側に向かってほぼ一定の幅を有する。切り欠き部３３１には、ブリッジ３００の端部３２０が挿入されている。端部３２０の一部の側面には、突起部３４０が形成されている。突起部３４０は、レンズ１４１の凸面側（前側）における切り欠き部３３１の開口部３５０に嵌めあわされている。嵌めあいの程度は、特に限られず、タイトな嵌めあい、および、緩やかな嵌めあいのいずれであってもよい。
【００３１】
より詳しくは、切り欠き部３３１の断面形状は、端部３２０の断面形状に対応している。すなわち、切り欠き部３３１の内部の輪郭は、少なくとも、端部３２０の輪郭よりも大きい。これにより、端部３２０は切り欠き部３３１にスムーズに挿入される。このとき、ブリッジ３００が端部３２０を軸として回転することを防止するために、端部３２０の一部に、回転防止用の突起部３４０が形成されている。
【００３２】
図３を参照して、眼鏡１００の構成についてさらに説明する。図３は、眼鏡１００のブリッジ３００の近傍を表す図である。眼鏡１００は、リムレスタイプの眼鏡である。ブリッジ３００には、鼻当て３６０，３６１が形成されている。左右のレンズ１４０，１４１を保持するブリッジ３００の端部３１０，３２０はそれぞれ、レンズ１４０，１４１に設けられた切り欠き部３３０，３３１に挿入されている。レンズ１４０のヨロイ１２０の構成と同様に、ブリッジ３００においても、切り欠き部３３０は、レンズ１４０の凸面（前面）側から内部（後面）に向かって形成されている。ブリッジ３００の端部３１０の一部には、図１に示される突起部１３０と同様に、突起部が形成されている。
【００３３】
レンズ１４０の切り欠き部３３０には、ブリッジ３００の端部３１０の回転を防止するために、上記突起部が挿入される溝部が形成されている。切り欠き部３３０には、接着剤が充填され、さらに、ブリッジの端部３１０が挿入されている。ヨロイ１２０の装着に用いられる場合と同様に、接着剤の色は、たとえば、無色透明であるが、その他の色であってもよい。視界を確保するために、透明であることが望ましい。
【００３４】
図４から図１０を参照して、本実施の形態にかかる切り欠き部について説明する。図４は、ある局面に従う切り欠き部を表す図である。図４の断面図（Ａ）に示されるように、ある局面において、切り欠き部４００は、突起部としてのキー付きの丸穴形状として構成される。突起部４３０が挿入される溝部４１０は、レンズ４２０の凸面側に貫通している。突起部４３０は、ヨロイ１２０を含む眼鏡の支持部材の回転を防止する。
【００３５】
図４の断面図（Ｂ）に示されるように、切り欠き部４００は、たとえば、先端がボール状のエンドミルをレンズ４２０の片面（たとえば、凸面または凹面のいずれか）から内部に向かって移動させることにより形成される。
【００３６】
図５は、別の局面に従う切り欠き部を表す図である。図５の断面図（Ａ）に示されるように、ある局面において、切り欠き部５００は、略半円部５２０と矩形部５３０とからなる断面に突起部５４０のための溝部５１０が追加された形状として構成される。図４の断面図（Ａ）の場合と同様に、突起部５４０は、レンズ４２０の凸面側に貫通している。突起部５４０は、矩形部５３０の側面に対向する開口部の側面と干渉することで、ヨロイ１２０を含む眼鏡の支持部材の回転を防止する。
【００３７】
図５の断面図（Ｂ）に示されるように、切り欠き部５００は、たとえば、先端が角状のエンドミルをレンズ４２０の片面（たとえば、凸面または凹面のいずれか）から内部に向かって移動させることにより形成される。図５の断面図（Ａ）に示されるように、ヨロイによって切り欠き部を広げる場合には、この面５５０で荷重を支えることになる。切り欠き部５００に形成される溝部５１０の高さが突起部５４０の高さよりも大きい場合には、切り欠き部５００の先端にはスキマが形成される。スキマには、上述の接着剤が充填され、端部とレンズ４２０との結合が強固にされる。
【００３８】
図６は、さらに別の局面に従う切り欠き部を表す図である。図６の断面図（Ａ）に示されるように、ある局面において、切り欠き部６００は、凸凹部を有する端部６１０に突起部６２０が追加された形状として構成される。図４の断面図（Ａ）の場合と同様に、突起部６２０が挿入される開口部６３０は、レンズ４２０の凸面側に貫通している。突起部６２０は、ヨロイを含む眼鏡の支持部材の回転を防止する。
【００３９】
図６の断面図（Ｂ）に示されるように、切り欠き部６００は、たとえば、先端が角状であり、かつ、谷部を有するエンドミルをレンズ４２０の片面（たとえば、凸面または凹面のいずれか）から内部に向かって移動させることにより形成される。ヨロイ（パーツ）によって切り欠き部６００が拡張する力が作用した場合でも、切り欠き部６００の端部６１０に形成された凹凸部６４０に含まれる面（周状の面）は、当該拡張によって作用する荷重を支えることができる。これにより、レンズとヨロイとの結合状態が維持される。
【００４０】
図７は、切り欠き部１１０をレンズ１４０の一面から見た状態を表す図である。図７に示されるように、ある局面に従う切り欠き部１１０の断面は、円弧と直線との組み合わせによって構成されている。このとき、円弧の直径Ｒは、溝部の幅Ｄよりも大きいことが望ましい。
【００４１】
図８〜図１０を参照して、切り欠き部の構造についてさらに説明する。図８は、別の局面に従う切り欠き部８１０にヨロイの端部８２０が挿入された状態の断面を表す図である。
【００４２】
図８に示されるように、ある局面において、レンズ８００には、切り欠き部８１０が形成されている。切り欠き部８１０にはヨロイの端部８２０が挿入される。端部８２０の断面は、円弧部分と突起部８２１とを含む。円弧部分の直径は、突起部８２１の幅より長い。また、円弧部分の中心から突起部８２１の先端までの長さは、当該円弧部分の直径よりも長い。
【００４３】
したがって、端部８２０の回転は、突起部８２１によって止められる。すなわち、端部８２０の断面が円弧部分のみからなる場合には、ヨロイは回転する可能性がある。しかしながら、突起部８２１により、ヨロイの回転は防止される。さらに、別の局面において、切り欠き部８１０と端部８２０とのスキマ８３０には、接着剤が充填され得る。接着剤は透明であることが望ましい。接着剤の色は、特に限られないが、レンズ８００あるいは端部８２０の色に合わせて、無色および有色のいずれであってもよい。
【００４４】
なお、切り欠き部８１０の開口部は、レンズ８００の凸面および凹面のいずれに形成されてもよい。したがって、端部８２０が挿入された後に生じるスキマ８３０に充填される接着剤の塗布面は、レンズ８００の凸面および凹面のいずれにも形成され得る。このとき、接着剤の表面が凸面または凹面の一部とほぼ均一になるように、接着剤は開口部に充填されるのが望ましい。また、レンズ８００における切り欠き部８１０の位置は、レンズ８００の上下を結ぶ線の中心位置でもよく、中心位置より上または下であってもよい。
【００４５】
図９は、別の局面に従う切り欠き部９１０にヨロイの端部９２０が挿入された状態の断面を表す図である。図９を参照して、別の局面に従うレンズ９００には、切り欠き部９１０が形成されている。切り欠き部９１０にはヨロイの端部９２０が挿入される。端部９２０の断面は、略Ｔ字形状である。Ｔ字形状の切り欠き部９１０は、たとえば、微細径を有するエンドミルをＴ字状に移動させることにより形成される。さらに、別の局面において、切り欠き部９１０と端部９２０とのスキマ９３０には、接着剤が充填され得る。接着剤は透明であることが望ましい。接着剤の色は、特に限られないが、レンズ９００あるいは端部９２０の色に合わせて、無色および有色のいずれであってもよい。
【００４６】
なお、切り欠き部９１０の開口部は、レンズ９００の凸面および凹面のいずれに形成されてもよい。したがって、端部９２０が挿入された後に生じるスキマ９３０に充填される接着剤の塗布面は、レンズ９００の凸面および凹面のいずれにも形成され得る。このとき、接着剤の表面が凸面または凹面の一部とほぼ均一になるように、接着剤は切り欠き部９１０に充填される。
【００４７】
また、レンズ９００における切り欠き部９１０の位置は、レンズ９００の上下を結ぶ線の中心位置でもよく、中心位置より上または下であってもよい。
【００４８】
図１０は、さらに別の局面に従う切り欠き部１０１０にヨロイの端部１０２０が挿入された状態の断面を表す図である。図１０を参照して、別の局面に従うレンズ１０００には、切り欠き部１０１０が形成されている。切り欠き部１０１０にはヨロイの端部１０２０が挿入される。端部１０２０の断面は、略台形形状である。台形形状を有する切り欠き部１０１０は、たとえば、微細径を有するエンドミルによって形成される。さらに、別の局面において、切り欠き部１０１０と端部１０２０とのスキマ１０３０には、接着剤が充填され得る。接着剤は透明であることが望ましい。接着剤の色は、特に限られないが、レンズ１０００あるいは端部１０２０の色に合わせて、無色および有色のいずれであってもよい。
【００４９】
なお、切り欠き部１０１０の開口部は、レンズ１０００の凸面および凹面のいずれに形成されてもよい。また、レンズ１０００における切り欠き部１０１０の位置は、レンズ１０００の上下を結ぶ線の中心位置でもよく、中心位置より上または下であってもよい。
【００５０】
図１１を参照して、本実施の形態に係るパーツの接着剤による固定について説明する。図１１は、レンズ１１００の切り欠き部にヨロイ１１１０の端部１１２０が挿入された状態の断面を表す図である。ヨロイ１１１０の端部１１２０と突起部１１３０とは、切り欠き部に挿入されている。切り欠き部と突起部１１３０とのスキマ１１４０には、接着剤が充填されている。接着剤は透明であることが望ましい。接着剤の色は、特に限られないが、レンズ１１００あるいは端部１１２０の色に合わせて、無色および有色のいずれであってもよい。
【００５１】
接着剤は突起部１１３０の抜けを防ぐように充填され固化している。固化した部分は、レンズ１１００を有する眼鏡の通常の使用によって作用する力では破損されない。したがって、通常の使用において、ヨロイ１１１０がレンズ１１００から抜け出ることを防止することができる。また、切り欠き部の開口側が凹面（後面）に形成されている場合には、当該眼鏡の使用者の正面（凸面）から見たときに当該開口側が視認されないので、美観が高まる。
【００５２】
＜実施の形態のまとめ＞
以上のようにして、本実施の形態によれば、パーツ（例えばヨロイ）の厚さを薄くすることにより、開口部または溝部を小さくできるので、当該開口部を形成するためのカッターの負担を小さくできる。たとえば、カッターを細くしても当該カッターは折れにくくなる。また、パーツが細くなるので、当該パーツを使用する眼鏡全体の美観が向上する。
【００５３】
また、パーツの端部をレンズ内に埋没させることができるため、レンズ面の汚れをふき取りやすくなる。また、切り欠き部の開口部は、レンズの凹面または凸面のいずれかに形成され、さらに、必要に応じて接着剤が充填される。このような構成により、埃がたまる場所を最小限にできるので、レンズの汚れを防止できる。
【００５４】
また、最少コバ厚も薄くできるため、眼鏡は、結果として軽量化され、装用感も向上する。また、眼鏡全体の美観も向上する。
【００５５】
別の局面において、パーツの形状を単純にすることにより（たとえば、円柱部分、Ｔ字形状、台形形状など）、パーツの構成と、溝部を加工するためのカッターの構成とを簡易なものにでき、また、製造も容易になる。その結果、パーツや溝部の精度も高まるので、眼鏡全体の剛性を高めることができる。
【００５６】
本開示に係る一実施例に従う眼鏡は、レンズ１４０と、レンズ１４０の耳側に装着されるヨロイ１２０と、ヨロイ１２０に装着されるテンプル１２４とを備える。レンズ１４０の耳側の周縁部の側面には、ヨロイ１２０の挿入を受ける開口部１５０がレンズ１４０の中心側に向かって形成されている。ヨロイ１２０の一部は、突起部１３０を含む。レンズ１４０の凹面または凸面の少なくともいずれかと耳側の開口部１５０との間には、突起部１３０の挿入を受ける溝部が形成されている。溝部は側面につながっている。耳側の開口部１５０の幅は、溝部の幅より大きい。ヨロイ１２０の一部は、耳側の開口部に挿入されている。ヨロイ１２０の突起部１３０は、溝部に挿入されている。このような構成によれば、ヨロイ１２０の挿入部分を太くする必要がなくなるので、眼鏡の使用者の視野が確保される。
【００５７】
好ましくは、別の一実施例に従う眼鏡によると、開口部１５０または溝部には、接着剤が充填されている。このような構成によれば、ヨロイ１２０がレンズ１４０から抜けにくくなる。
【００５８】
別の一実施例に従う眼鏡は、レンズ１４１の他方（鼻側）を保持するためのブリッジ３００をさらに備える。ブリッジ３００の両端の一部は、突起部３４０を含む。レンズ１４１の鼻側の周縁部の側面には、ブリッジ３００の一部の挿入を受ける開口部３５０が、当該側面からレンズ１４１の中心側に向かって形成されている。鼻側の開口部３５０の幅は、開口部３５０に形成された溝部の幅より大きい。このような構成によれば、耳側におけるヨロイの挿入部分と同様に、ブリッジ３００の先端部分を太くする必要がなくなるので、眼鏡の使用者の視野が確保される。
【００５９】
別の一実施例に従う眼鏡によると、眼鏡の二つのレンズのうちの少なくとも一つのレンズ１４０は、ヨロイ１２０とブリッジ３００とによって保持される。このような構成によれば、ヨロイ１２０とブリッジ３００とによるレンズ１４０への挿入部分を太くする必要がなくなるため、レンズ１４０の視野が確保される。
【００６０】
別の一実施例に従う眼鏡は、上記の実施例の構成に加えて、耳側の開口部１５０の断面は、円弧を含む。このような構成によれば、ヨロイ１２０の端部１２１を開口部１５０に挿入しやすくなる。また、端部１２１と開口部１５０の側面との接触面を大きくすることができるので、荷重が一か所に集中することが防止される。結果として、ヨロイ１２０の摩耗が防止される。
【００６１】
別の一実施例に従う眼鏡によると、上記のいずれかの実施例の構成に加えて、耳側の開口部１５０の断面の形状は、多角形である。このような構成によれば、端部１２１と開口部１５０の側面との接触面を多くとることができるので、荷重が一か所に集中することが防止され得る。結果として、ヨロイ１２０の摩耗が防止され得る。
【００６２】
別の一実施例に従う眼鏡によると、上記のいずれかの実施例の構成に加えて、鼻側の開口部３５０の断面は、円弧を含む。このような構成によれば、端部３２０を開口部３５０の内部に挿入しやすくなる。また、端部３２０と開口部３５０の側面との接触面を多くとることができるので、荷重が一か所に集中することが防止される。結果として、ブリッジ３００の摩耗が防止され得る。
【００６３】
別の一実施例に従う眼鏡によると、鼻側の開口部３５０は、レンズ１４１の凹面および凸面のいずれかのみに形成されている。このような構成によると、レンズ１４１の側面の強度を維持しつつ、ブリッジ３００は、レンズ１４１を支持できる。
【００６４】
別の一実施例に従う眼鏡によると、突起部の長さは、溝部よりも短い。このような構成によると、突起部がレンズの表面に表れないので、指や布の引っ掛かりが防止される。結果として、眼鏡の美観が維持される。別の局面において、眼鏡のメンテナンス性が維持される。
【００６５】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【００６６】
１００  眼鏡、１１０，３３０，３３１，４００，５００，６００，８１０，９１０，１０１０  切り欠き部、１２０，１１１０  ヨロイ、１２１，３１０，３２０，６１０，８２０，９２０，１０２０，１１２０  端部、１２３  ヒンジ部、１２４  テンプル、１３０，３４０，４３０，５４０，６２０，８２１，９２１，１１３０  突起部、１４０，１４１，４２０，８００，９００，１０００，１１００  レンズ、１５０，３５０，６３０  開口部、３００  ブリッジ、３６０，３６１  鼻当て、４１０，５１０  溝部、５２０  略半円部、５３０  矩形部、５５０  面、６４０  凹凸部、８３０，９３０，１０３０，１１４０  スキマ。
【図１】
2017038636.tif 000003
【図２】
2017038636.tif 000004
【図３】
2017038636.tif 000005
【図４】
2017038636.tif 000006
【図５】
2017038636.tif 000007
【図６】
2017038636.tif 000008
【図７】
2017038636.tif 000009
【図８】
2017038636.tif 000010
【図９】
2017038636.tif 000011
【図１０】
2017038636.tif 000012
【図１１】
2017038636.tif 000013
【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
レンズと、
前記レンズの耳側に装着されるヨロイと、
前記ヨロイに装着されるテンプルとを備え、
前記レンズの耳側の縁には、前記ヨロイの挿入を受ける耳側切欠き部が前記レンズの中心側に向かって形成されており、前記ヨロイは突起部を含み、
前記耳側切欠き部は、前記突起部の挿入を受け、且つ前記レンズの凹面または凸面につながる耳側開口部を含み、
前記耳側開口部は前記耳側の縁につながっており、
前記耳側切欠き部のうち前記耳側開口部以外の部分の幅は、前記耳側開口部の幅より大きく、
前記ヨロイは、前記耳側切欠き部に挿入されており、
前記ヨロイの前記突起部は、前記耳側開口部に挿入されており、
前記耳側切欠き部には、接着剤が充填されている、眼鏡。
【請求項２】
前記レンズの他方を保持するためのブリッジをさらに備え、前記ブリッジの両端の一部は、突起部を含み、
前記レンズの鼻側の縁には、前記ブリッジの一部の挿入を受ける鼻側切欠き部が、前記鼻側の縁から前記レンズの中心側に向かって形成されており、
前記鼻側切欠き部は、前記レンズの凹面または凸面につながる鼻側開口部を含み、
前記鼻側切欠き部のうち前記鼻側開口部以外の部分の幅は、前記鼻側開口部の幅より大きい、請求項１に記載の眼鏡。
【請求項３】
前記眼鏡の二つのレンズのうちの少なくとも一つは、前記ヨロイと前記ブリッジとによって保持される、請求項２に記載の眼鏡。
【請求項４】
前記耳側切欠き部のうち前記耳側開口部以外の部分の断面は、円弧を含む、請求項１〜３のいずれかに記載の眼鏡。
【請求項５】
前記耳側切欠き部のうち前記耳側開口部以外の部分の断面は円形であり、前記耳側開口部の断面は矩形である、請求項１〜３のいずれかに記載の眼鏡。
【請求項６】
前記耳側切欠き部のうち前記耳側開口部以外の部分の断面の形状は、多角形である、請求項１〜３のいずれかに記載の眼鏡。
【請求項７】
前記鼻側切欠き部のうち前記鼻側開口部以外の部分の断面は、円弧を含む、請求項２または３に記載の眼鏡。
【請求項８】
前記鼻側開口部は、前記レンズの凹面および凸面のいずれかのみに形成されている、請求項２、３および７のいずれかに記載の眼鏡。
【請求項９】
前記ブリッジは、前記鼻側切欠き部に挿入されており、
前記ブリッジの前記突起部は、前記鼻側開口部に挿入されており、
前記鼻側切欠き部には、接着剤が充填されている、請求項２、３、７および８のいずれかに記載の眼鏡。
【請求項１０】
前記ヨロイの前記突起部の長さは、前記レンズの厚み方向における前記耳側開口部の長さよりも短い、請求項１〜９のいずれかに記載の眼鏡。
【請求項１１】
前記ヨロイと前記テンプルを含む請求項１から１０のいずれかに記載の眼鏡のフレーム。
【手続補正３】
【補正対象書類名】明細書
【補正対象項目名】０００１
【補正方法】変更
【補正の内容】
【０００１】
本開示は眼鏡およびフレームに関し、より特定的には、眼鏡のレンズを保持する構造に関する。
【国際調査報告】
2017038636.tif 000014
2017038636.tif 000015
2017038636.tif 000016
2017038636.tif 000017